(57)【要約】【課題】海中において海藻類を確実に増殖させることができ、また、海藻類を増殖させた後に海藻類の増殖具を回収する作業が不要となる技術を提供することを課題とする。【解決手段】海中（沿岸域の藻場）において海藻類（例えば、カジメ、ヒジキ、ホンダワラ、またはコンブ等）を増殖させる、海藻類の増殖具１であって、母藻２が収納され、母藻２から放出される胞子を流出可能に構成される流出部１４を備え、海中の微生物によって分解されて無機物とされる生分解性素材で構成されるものとする。【選択図】図１
2016002074.tif 000002
【特許請求の範囲】
【請求項１】
海中において海藻類を増殖させる、海藻類の増殖具であって、
母藻が収納され、
前記母藻から放出される胞子を流出可能に構成される流出部を備え、
前記海中の微生物によって分解されて無機物とされる生分解性素材で構成される、
海藻類の増殖具。
【請求項２】
前記流出部を複数個備える、
請求項１に記載の海藻類の増殖具。
【請求項３】
重りを備える、
請求項１または請求項２に記載の海藻類の増殖具。
【請求項４】
ミネラル剤を備える、
請求項１から請求項３のいずれか一項に記載の海藻類の増殖具。
【請求項５】
請求項１から請求項４のいずれか一項に記載の前記海藻類の増殖具を用いて海中において海藻類を増殖する、海藻類の増殖方法。
【発明の詳細な説明】
【技術分野】
【０００１】
本発明は、海藻類の増殖具および海藻類の増殖方法の技術に関する。
【背景技術】
【０００２】
沿岸域の藻場（海中）においては、海藻類（例えば、カジメ、ヒジキ、ホンダワラ、またはコンブ等）が多量に死滅して藻場が磯焼け状態となっている場所がある。このような磯焼けは、例えば、ウニ等の外敵に海藻類が多量に食されることによって生じる。もっとも従来、磯焼け状態となっている沿岸域の藻場において、海藻類を増殖させる技術は種々知られている（特許文献１参照）。
【先行技術文献】
【特許文献】
【０００３】
【特許文献１】特開２００９−２２５６６７号公報
【発明の概要】
【発明が解決しようとする課題】
【０００４】
しかしながら、従来の海藻類を増殖させる技術では、海中に植えた母藻が外敵に食されて、海中において海藻類を増殖させることができない場合がある。
また、従来の海藻類を増殖させる技術では、海藻類を増殖させた後（海中において胞子を流出させた後）に、海藻類を増殖させるための用具を回収することを要する場合がある。
【０００５】
本発明は以上の如き状況に鑑みてなされたものであり、海中において海藻類を確実に増殖させることができ、また、海藻類を増殖させた後に海藻類の増殖具を回収する作業が不要となる技術を提供することを課題とする。
【課題を解決するための手段】
【０００６】
本発明の解決しようとする課題は以上の如くであり、次にこの課題を解決するための手段を説明する。
【０００７】
即ち、請求項１においては、海中において海藻類を増殖させる、海藻類の増殖具であって、母藻が収納され、前記母藻から放出される胞子を流出可能に構成される流出部を備え、前記海中の微生物によって分解されて無機物とされる生分解性素材で構成されるものである。
【０００８】
請求項２においては、前記流出部を複数個備えるものである。
【０００９】
請求項３においては、重りを備えるものである。
【００１０】
請求項４においては、ミネラル剤を備えるものである。
【００１１】
請求項５においては、請求項１から請求項４のいずれか一項に記載の前記海藻類の増殖具を用いて海中において海藻類を増殖するものである。
【発明の効果】
【００１２】
本発明の効果として、以下に示すような効果を奏する。
即ち、本発明によれば、海中において海藻類を確実に増殖させることができ、また、海藻類を増殖させた後に海藻類の増殖具を回収する作業が不要となる。
【図面の簡単な説明】
【００１３】
【図１】本発明の実施形態に係る海藻類の増殖具の全体的な構成を示した斜視図。
【図２】同じく海藻類の増殖具の正面図。
【図３】同じく海藻類の増殖具が海中に配置された状態を示す図。
【図４】同じく海藻類の増殖具を用いて海中において海藻類が増殖される状態を示す図。
【図５】同じく海藻類の増殖具が、帯状の部材が折畳まれて製造される状態を示す斜視図。
【図６】同じく海藻類の増殖具が海中に配置された状態を示す図。
【図７】同じく海藻類の増殖具が海中に配置された状態を示す図。
【図８】同じく海藻類の増殖具の正面図。
【図９】同じく海藻類の増殖具が、帯状の部材が折畳まれて製造される状態を示す斜視図。
【図１０】同じく海藻類の増殖具の正面図。
【図１１】同じく海藻類の増殖具が、帯状の部材が折畳まれて製造される状態を示す斜視図。
【図１２】同じく海藻類の増殖具の正面図。
【図１３】同じく海藻類の増殖具が、帯状の部材が折畳まれて製造される状態を示す斜視図。
【発明を実施するための形態】
【００１４】
次に、図１〜図１３に記載の海藻類の増殖具１について説明する。
なお、以下において、便宜上、海藻類の増殖具１を「増殖具１」と称して説明する。
【００１５】
図１から図３に示すように、増殖具１は、海中（沿岸域の藻場）において、海藻類（例えば、カジメ、ヒジキ、ホンダワラ、またはコンブ等）を増殖させるものである。増殖具１は、袋状に構成され、胞子を放出する母藻２が収納される。
【００１６】
増殖具１は、前胴１０と、後胴１１と、開口部１２と、被せ部１３と、を備える。
増殖具１は、前胴１０（前胴１０の下縁部）と後胴１１（後胴１１の下縁部）とが連接され、後胴１１（後胴１１の上縁部）と被せ部１３（被せ部１３の上縁部）とが連接されて構成される。開口部１２は、前胴１０の上縁部１０ａと後胴１１の上縁部とで構成される。被せ部１３は、開口部１２に覆いかぶさるようにして開口部１２を跨いで、前胴１０の前方に配置される。増殖具１は、開口部１２から増殖具１内に母藻２が収納されるように構成される。
【００１７】
増殖具１は、流出部１４を備える。
流出部１４は、増殖具１内の母藻２から放出される胞子を増殖具１外に流出可能に構成される。流出部１４は、前胴１０および／または後胴１１に配置される。流出部１４は、直径約１０ｍｍの貫通孔であり、増殖具１（前胴１０および／または後胴１１）を貫通するように形成される。流出部１４は、母藻２より小さく、母藻２から放出される胞子よりも大きく形成される。
【００１８】
このように構成される増殖具１は、母藻２が収納された状態で、海上から投入されて海中に配置される。そして、増殖具１は、母藻２が放出する胞子を流出部１４から増殖具１外に流出させることによって、海中において海藻類を増殖させる（図４参照）。
このようにして、増殖具１を用いて海中において海藻類を増殖する。
【００１９】
以上のように、母藻２が収納され、また、流出部１４を備える増殖具１では、ウニ等の外敵に食されることなく、海中において母藻２から放出された胞子を流出させることができる。
したがって、増殖具１によれば、海中（沿岸域の藻場）において海藻類を確実に増殖させることができる。
【００２０】
増殖具１は、海中の微生物によって分解されて無機物とされる生分解性素材（生分解性プラスチック）で構成される。増殖具１は、例えば、ポリ乳酸を主たる成分とする素材で構成される。特にポリ乳酸の不織布で構成することにより、海中における一定期間にわたり、母藻２を保持できる。
【００２１】
以上のように、生分解性素材で構成される増殖具１では、海中において微生物等によって分解される。
したがって、増殖具１によれば、海藻類を増殖させた後（海中において胞子を流出させた後）に、増殖具１を回収する作業が不要となる。また、海中において分解されることから、増殖具１では、投入された場所の環境破壊が生じることなく、海藻類の増殖を行うことができる。
【００２２】
増殖具１は、流出部１４を複数個備える。
【００２３】
以上のように、流出部１４を複数個備える増殖具１では、胞子を同時に多量に流出することができる。
したがって、増殖具１によれば、海中において海藻類をより確実に増殖させることができる。
【００２４】
増殖具１は、重り３を備える。増殖具１は、母藻２と重り３とを収納可能に構成される。増殖具１は、開口部１２から増殖具１内に重り３が収納されるように構成される。
重り３は、海中に投入された位置から海流によって増殖具１が流されない（投入された場所が維持される）程度の重量のもので構成される。重り３は、例えば、単数子または複数個の石、砂鉄または鉄などの金属塊等で構成される。
【００２５】
以上のように、重り３を備える増殖具１では、海中に投入された位置から海流によって増殖具１が流されることを防止することができる。
したがって、増殖具１によれば、海藻類を増殖させたい場所（海中）において海藻類を確実に増殖させることができる。
また、増殖具１では増殖具１の配置される海中にある石、または、増殖具１の配置される海の近隣の浜にある石等で重り３が構成されることにより、増殖具１が配置される海中において、その重り３によって環境破壊が生じることを防止することができる。
【００２６】
増殖具１は、生分解性素材の不織布で構成される帯状の部材に所定の加工を施すことによって製造される。
【００２７】
以上のように、生分解性素材の不織布で構成される増殖具１では、織布に比べて、少量の原料で同様大きさのものを製造することができる。
【００２８】
図５に示すように、増殖具１は、前胴１０と、後胴１１と、開口部１２と、被せ部１３と、が形成されるように、前記帯状の部材を折りたたんだ状態で、前胴１０（前胴１０の側縁部）と、後胴１１（後胴１１の側縁部）と、被せ部１３（被せ部１３の側縁部）と、を糸部材１５で縫い合わせて構成される。被せ部１３の両側縁部は、前胴１０の両側縁部（および後胴１１の両側縁部）に縫い合わされる。前記帯状の部材が折りたたまれる部分は、前胴１０と後胴１１との境界部分、および、後胴１１と被せ部１３との境界部分として構成される。なお、帯状の部材の側部を溶着して、袋状としてもよい。
【００２９】
以上のように、被せ部１３の側縁部が前胴１０の側縁部に縫い合わされて、被せ部１３が前胴１０の前方に配置された状態で固定される増殖具１では、被せ部１３から増殖具１を開き内部に母藻２および重り３を収納する作業を手で容易に行え、被せ部１３を閉じて増殖具１に収納された母藻２等が開口部１２から脱落や流出することを防止することができる。
【００３０】
増殖具１では、前胴１０と後胴１１と被せ部１３とを縫い合わせる糸部材１５は、海中の微生物によって分解されて無機物とされる生分解性素材（生分解性プラスチック）で構成される。前胴１０と後胴１１と被せ部１３とを縫い合わせる糸部材１５は、例えば、ポリ乳酸を主たる成分とする素材で構成される。また、海中において糸部材１５が分解されることから、増殖具１では、投入された場所の環境破壊が生じることなく、海藻類の増殖を行うことができる。
【００３１】
以上のように、糸部材１５が生分解性素材で構成される増殖具１では、前胴１０と後胴１１と被せ部１３とを縫い合わせる糸部材１５が海中において微生物等によって分解される。
したがって、増殖具１によれば、海藻類を増殖させた後（海中において胞子を流出させた後）に、糸部材１５を回収する作業が不要となる。
【００３２】
増殖具１の被せ部１３の下縁部１３ａまたは前胴１０の上縁部１０ａは、凹状または凸状の円弧状に形成することもできる。
【００３３】
図６に示すように、増殖具１は、ミネラル剤４を備えることもできる。増殖具１は、母藻２と重り３とミネラル剤４とを収納可能に構成される。増殖具１は、開口部１２から増殖具１内にミネラル剤４が収納されるように構成される。
ミネラル剤４は、増殖具１内において徐々に溶け出すことによって、増殖具１内の母藻２から胞子の放出量を増加させる。ミネラル剤４は、例えば、鉄を主たる成分とする金属塊で構成される。
【００３４】
以上のように、ミネラル剤４を備える増殖具１では、胞子を同時に多量に流出することができる。
したがって、増殖具１によれば、海中において海藻類をより確実に増殖させることができる。
【００３５】
図７に示すように、増殖具１では、重り３をミネラル剤４として構成すること、また、ミネラル剤４を重り３として構成することもできる。増殖具１では、重り３とミネラル剤４とが共通の部材で構成される。このとき、重り３（ミネラル剤４）は、海中に投入された位置から海流によって増殖具１が流されない程度の重量のものであって、例えば、鉄を主たる成分とする金属塊で構成される。
【００３６】
以上のように、重り３をミネラル剤４として構成する、また、ミネラル剤４を重り３として構成する増殖具１では、重り３とミネラル剤４とが別部材で構成されるものに比べて、増殖具１内の容積を小さくすることができ、増殖具１をコンパクトに構成することができる。
また、鉄塊（例えば、スラッグ）または腐葉土等のミネラル剤が収納される袋体（生分解性素材の袋体）を、増殖具１が配置される海中に配置することにより、増殖具１内の母藻２から胞子の放出量を増加させることもできる。
【００３７】
図８または図９に示すように、増殖具１では、前胴１０の上縁部１０ａを凹状の円弧状に形成することもできる。前胴１０における被せ部１３の後方に位置する縁部は、凹状の円弧状に形成される。
【００３８】
以上のように、前胴１０の上縁部１０ａが凹状の円弧状に形成される増殖具１によれば、被せ部１３が前胴１０の前方に配置された状態で固定されていても、開口部１２から海藻または重り３を収納する作業を容易に行うことができる。
【００３９】
また、図１０または図１１に示すように、増殖具１では、被せ部１３の下縁部１３ａ（後胴１１と被せ部１３との境界部分と反対側の縁部）を凸状の円弧状に形成することもできる。被せ部１３における前胴１０の前方に位置する縁部は、凸状の円弧状に形成される。
【００４０】
以上のように、被せ部１３の下縁部１３ａが凸状の円弧状に形成される増殖具１によれば、増殖具１に収納された母藻２等が開口部１２から脱落することをより確実に防止することができる。
【００４１】
また、図１２または図１３に示すように、増殖具１では、被せ部１３の下縁部１３ａを凸状の円弧状に形成するとともに、前胴１０の上縁部１０ａを凸状の円弧状に形成することもできる。
【００４２】
以上のように、被せ部１３の下縁部１３ａが凸状の円弧状に形成されるとともに、前胴１０の上縁部１０ａが凸状の円弧状に形成される増殖具１では、増殖具１に収納された母藻２等が開口部１２から脱落することをより確実に防止することができる。
【符号の説明】
【００４３】
１    海藻類の増殖具
２    母藻
３    重り
４    ミネラル剤
１０  前胴
１１  後胴
１２  開口部
１３  被せ部
１４  流出部
１５  糸部材
【図１】
2016002074.tif 000003
【図２】
2016002074.tif 000004
【図３】
2016002074.tif 000005
【図４】
2016002074.tif 000006
【図５】
2016002074.tif 000007
【図６】
2016002074.tif 000008
【図７】
2016002074.tif 000009
【図８】
2016002074.tif 000010
【図９】
2016002074.tif 000011
【図１０】
2016002074.tif 000012
【図１１】
2016002074.tif 000013
【図１２】
2016002074.tif 000014
【図１３】
2016002074.tif 000015